(57)【要約】本発明は、ドアロックを交替することなく、ドアロックの機能を拡張又は変更することができるように設計された簡易改造型電子制御式ドアロックシステムを提供する。このドアロックシステムは、キー手段の入力信号によりドアのロッキング及びアンロッキングを行い、予め定められた基本機能を保有するドアロック100と、このドアロックの予め定められた基本機能以外に追加機能を保有し、ドアロックに交替可能に取り付けられる機能拡張装置200とを含む。【選択図】図1
2007529658.tif 000002
【特許請求の範囲】
【請求項１】
キー手段の入力信号によりドアのロッキング及びアンロッキングを行い、予め定められた基本機能を保有するドアロック100、及び、
上記ドアロックの予め定められた基本機能以外に追加機能を保有し、上記ドアロック100に交替可能に取り付けられる機能拡張装置200を含み、
上記ドアロックは、上記ドアロック100のキー手段を認証する認証部102と、上記機能拡張装置200を上記ドアロック100に分離可能に連結する多目的インターフェース装置110と、上記機能拡張装置200を制御する多目的インターフェース装置制御部112と、上記ドアロック100の全般的な動作を制御するコントローラー部104と、上記コントローラー部104の制御によりロッキング又はアンロッキング機能を行う駆動部114とからなる簡易改造型電子制御式ドアロックシステム。
【請求項２】
上記多目的インターフェース装置制御部112は、上記多目的インターフェース装置110と連結される上記機能拡張装置200を制御するアルゴリズム、上記コントローラー部104、上記機能拡張装置200とデータ通信を行うためのプロトコル、エンコーダ、デコーダを含むことを特徴とする請求項1に記載の簡易改造型電子制御式ドアロックシステム。
【請求項３】
上記多目的インターフェース装置制御部112は、信号の電圧や周波数、タイミングを含む電気的特性、コネクターピンの機械的特性、コマンド応答を含む論理的特性を用いて、上記多目的インターフェース装置110に接続される上記機能拡張装置200を識別し、上記機能拡張装置200の動作を制御することを特徴とする請求項1に記載の簡易改造型電子制御式ドアロックシステム。
【請求項４】
上記コントローラー部104は、上記機能拡張装置200を制御する電気的信号を生成して上記機能拡張装置200の動作を制御するように構成されたことを特徴とする請求項1に記載の簡易改造型電子制御式ドアロックシステム。
【請求項５】
上記機能拡張装置200は、上記コントローラー部104に電気的信号を入力して上記ドアロック100の動作を制御するように構成されたことを特徴とする請求項1に記載の簡易改造型電子制御式ドアロックシステム。
【請求項６】
上記機能拡張装置200は、
上記ドアロック100の上記多目的インターフェース装置110に分離可能に接続される多目的インターフェース装置連結部202、
上記ドアロック100の基本機能以外に、追加機能を具現したサブセットモジュール204、及び、
上記サブセットモジュール204から上記多目的インターフェース装置110に入力されるか、その反対に出力される信号を処理する多目的インターフェース装置信号処理部206とを含むことを特徴とする請求項1に記載の簡易改造型電子制御式ドアロックシステム。
【請求項７】
上記サブセットモジュール204は、上記ドアロック100に追加しようとする機能を具現したソフトウェアを含むことを特徴とする請求項6に記載の簡易改造型電子制御式ドアロックシステム。
【請求項８】
上記機能拡張装置200の追加機能は、カメラ機能、指紋認証機能、火災監視機能、ホームネットワーク連動機能を含むことを特徴とする請求項1に記載の簡易改造型電子制御式ドアロックシステム。
【請求項９】
上記機能拡張装置200は、カメラ機能を具現したサブセットモジュール204を含み、上記サブセットモジュール204は、カメラモジュール410、入出力ポート412、メモリ414、カメラコントロールプロセッサー408から構成されることを特徴とする請求項1に記載の簡易改造型電子制御式ドアロックシステム。
【発明の詳細な説明】
【技術分野】
【０００１】
本発明は、電子制御式ドアロックシステムに関するものであって、更に詳しくは、予め定められた基本機能を保有するドアロックに、基本機能以外の追加機能を保有する機能拡張装置を交替可能に取り付けることにより、必要に応じてドアロックを簡便に改造してその性能を改善することができるように構成された簡易改造型電子制御式ドアロックシステムに関するものである。
【背景技術】
【０００２】
事務室、ホテルの客室、アパートなどのドア開閉装置としては、金属鍵を用いてドアを開閉する機械式ドアロックが主に使用されていた。しかし、従来の機械式ドアロックは、ドア開閉手段である金属鍵が紛失及び複製に弱く、保安性に欠けていた。最近は、従来の機械式ドアロックが有する脆弱性を考慮し、マグネットカード方式、又はスマートカード方式を含む電子キーを使用してドアを開閉するドアロック、暗証番号をキー入力することにより開閉するドアロックなどの多様な製品が使用されつつあり、しかも音声認識、指紋認識、顔認識など、人体の特定部位の固有性を用いる生体認識を通じたドア開閉が可能なドアロックが、活発に研究され、実用化されている。
【０００３】
一方、インターネットや移動通信などで代表される情報通信技術は、現代人の生活パターンを変えて、殆どの家庭、学校及び事務室に、インターネットが可能なパーソナルコンピューターが補給され、ウェヴサイトを通じた情報の習得、電子商取引を通じた商品の購買、イーメールを通じた情報の交換が行われている。又、移動通信端末機１つで音声通話を主とする移動通信サービス以外にも、金融決済、ホームオートメーション、無線インターネットの利用など、多様なサービスの提供が受けられるようになった。
【０００４】
初期の情報通信技術は、コンピューター、移動通信、放送など、利用目的に応じて分けられて発展してきたが、現在は、技術が融合(convergence)されて発展する傾向にある。情報通信技術が融合される代表的な実例として、ホームネットワークが挙げられる。現在はまだ初期の段階であるが、ホームネットワークを構築するよう、インターネット及び/又は移動通信と連動される家電機器が生産されている。即ち、従来には家の中で居住者がTVセット、洗濯機などを直接操作することだけが可能であったが、最近は、インターネットと連結された移動通信端末機１つで、家の外でもTVセット、洗濯機、照明装置、オーブンなどの各種家電機器を制御することができるようになった。
【０００５】
一方、従来のドアロックは、初期生産段階で構成されたハードウェアとソフトウェアとによって固定された機能だけを行う自立(stand-alone)形態が一般的であった。従って、従来のドアロックを用いて防犯、指紋認証、火災感知、ホームネットワークなどの追加機能を具現しようとしても、ドアロック自体を交替しない限り、機能拡張ができないとの短所があった。
【発明の開示】
【発明が解決しようとする課題】
【０００６】
本発明は、上述の従来技術の問題に鑑みて行われたもので、その目的は、使用中であるドアロックを、必要に応じて低コストで簡便に改造して、防犯、指紋認証、火災感知、ホームネットワーク連動などの機能を追加することができ、これによりドアロックを交替することなく、その機能を変更または拡張することができるように設計された簡易改造型電子制御式ドアロックシステムを提供することである。
【課題を解決するための手段】
【０００７】
本発明によると、キー手段の入力信号によりドアのロッキング及びアンロッキングを行い、予め定められた基本機能を保有するドアロック、及び、上記ドアロックの予め定められた基本機能以外に追加機能を保有し、上記ドアロックに交替可能に取り付けられる機能拡張装置を含み、上記ドアロックは、上記ドアロックのキー手段を認証する認証部と、上記機能拡張装置を上記ドアロックに分離可能に連結する多目的インターフェース装置(multi-purpose interface device)と、上記機能拡張装置の動作を制御する多目的インターフェース装置制御部と、上記ドアロックの全般的な動作を制御するコントローラー部と、上記コントローラー部の制御によりロッキング又はアンロッキング機能を行う駆動部とからなる簡易改造型電子制御式ドアロックシステムが提供される。
【発明の効果】
【０００８】
これによると、使用中であるドアロックを交替することなく、使用者の所望の機能を低コストで簡便にドアロックに追加することにより、ドアロックの機能を変更又は拡張することができる。
【発明を実施するための最良の形態】
【０００９】
以下、本発明の実施の形態を添付の図面を用いて詳細に説明する。夫々の図面において同一の部品に対しては同一、あるいは類似した参照番号を付して重複説明は省略する。
【００１０】
まず、図１を参照すると、本発明のドアロックシステムは、キー手段の入力信号によりドアのロッキング及びアンロッキングを行い、予め定められた基本機能を保有するドアロック100と、このドアロック100の予め定められた基本機能以外に追加機能を保有し、ドアロック100に交替可能に取り付けられる機能拡張装置200を含む。ここで、「基本機能(inherent function)」とは、ロッキング(locking)及びアンロッキング(unlocking)機能を含むドアロックに基本的に内蔵されている全ての機能を意味する。「追加機能」については後述する。
【００１１】
上記ドアロック100は、認証部102、コントローラー部104、多目的インターフェース装置110、多目的インターフェース装置制御部112、駆動部114、電源部116から構成される。図面では、多目的インターフェース装置を「MPID」と表記する。
【００１２】
上記コントローラー部104は、直列、並列ポートを備えたマイクロプロセッサー106と、ドアロック100を駆動するためのプログラム、キー手段の検出情報及び認証アルゴリズムを貯蔵しているメモリ108とを備える。又、コントローラー部104は、認証部102、多目的インターフェース装置110、多目的インターフェース装置制御部112、駆動部114、電源部116と連結されていて、ドアロック100及び機能拡張装置200の全般的な動作を制御する。ここで、「キー手段」とは、ドアロック100のロッキング及びアンロッキングに必要な信号を入力することができる全ての手段を意味し、その例としては、マグネチックカードタイプの電子キー、半導体スティックキー、ドアロック100に備えられた数字ボタンなどが挙げられる。
【００１３】
コントローラー部104は認証アルゴリズムを駆動し、認証部102で検出したキー手段の認証情報と、メモリ108に貯蔵されている検出情報とを比較して、該当キー手段が正当であるかをチェックする。キー手段が正当であると判断されたら、コントローラー部104は、ドア開閉信号を生成して駆動部114に伝達する。又、コントローラー部104は、多目的インターフェース装置110に接続された機能拡張装置200を多目的インターフェース装置制御部112を通して制御するか、機能拡張装置200からの信号によりドアロック100を駆動する。
【００１４】
多目的インターフェース装置110は、機能拡張装置200をドアロック100に互換可能に連結する装置であって、広い意味で、図１に示したようなピンースロットタイプのコネクターを含む。使用者が現在使用中であるドアロック100に別途追加機能、例えば、カメラ機能、指紋認証機能、火災感知機能、防犯機能、ホームネットワーク連動機能などを追加しようとする時、該当機能が備えられた機能拡張装置200を多目的インターフェース装置110に連結することによって、ドアロック100を交替することなく、その機能を拡張することができる。
【００１５】
多目的インターフェース装置制御部112は、多目的インターフェース装置110と連結される機能拡張装置200を制御するアルゴリズム、コントローラー部104及び機能拡張装置200とデータ通信を行うためのプロトコル、エンコーダ(encoder)、デコーダ(decoder)などを含む電子回路から構成される。多目的インターフェース装置制御部112は、信号の電圧や周波数、タイミングなどの電気的特性、コネクターのピン(pin)配置や形状などの機械的特性、コマンド(command)応答、通信規約(protocol)などの論理的特性を用いて、多目的インターフェース装置110に連結される機能拡張装置200を識別して制御する。
【００１６】
駆動部114は、図示しない１つ以上のリレー駆動装置、ソレノイド駆動装置、サーボモーター、モーティスロック(mortise lock)などを含めて構成される。駆動部114は、コントローラー部104から出力されるドア開閉信号によりサーボモーター、モーティスロックを含む負荷を駆動して、モーティスロックにロッキング又はアンロッキング機能を行わせる。ここで、「モーティスロック」とは、機械的に作動してドアをロッキング及びアンロッキングするドアロックのリンク組立体(linkage assembly)を意味する。
【００１７】
電源部116は、バッテリーを使用する内部電源及び/又は常用電源を使用する外部電源から構成される。電源部116は、認証部102、コントローラー部104、駆動部114、機能拡張装置200の作動のための電源を供給する役割をする。
【００１８】
次いで、ドアロック100の多目的インターフェース装置110に交替可能に連結される機能拡張装置200について説明する。機能拡張装置200は、多目的インターフェース装置連結部202、サブセット(subset)モジュール204、多目的インターフェース装置信号処理部206を含む。
【００１９】
多目的インターフェース装置連結部202は、ドアロック100の多目的インターフェース装置110に分離可能に連結される。サブセットモジュール204は、ドアロック100の基本機能以外に拡張しようとする機能、例えば、カメラ、指紋認証、火災監視、ホームネットワーク連動などの機能を具現したハードウェア及び/又はソフトウェアを意味する。ソフトウェアは、前述したハードウェアを制御する多数の命令語集合及び運用体制プログラムを含んでいる。
【００２０】
このような機能拡張装置200をドアロック100に連結すると、ドアロック100機能が拡張される。例えば、カメラ機能を備えた機能拡張装置200をドアロック100に連結すると、ドアロック100を開閉する使用者を撮影して貯蔵するドアロック100に機能が拡張され、指紋認証機能を備えた機能拡張装置200をドアロック100に連結すると、指紋認証を通して使用者認証を受けるドアロック100に機能が拡張される。又、ホームネットワーク機能を備えた機能拡張装置200をドアロック100に連結すると、ホームネットワークサーバー(図示せず)と連動して、ドアロック100の機能を家の外でも制御することができるようになる。
【００２１】
多目的インターフェース装置信号処理部206は、機能拡張装置200とドアロック100との間で相互伝送される電気的信号を処理するための装置であって、例えば、電気的信号を暗号化するエンコーダ(図示せず)、電気的信号を復号化するデコーダ(図示せず)とを備えている。
【００２２】
多目的インターフェース装置信号処理部206は、ドアロック100のコントローラー部104が機能拡張装置200を制御する暗号化された電気的信号を伝送すると、この電気的信号を復号化してサブセットモジュール204に伝達する。一方、サブセットモジュール204では、復号化された電気的信号を用いて機能拡張装置200の全般的な動作を制御することとなる。その反対に、機能拡張装置200がドアロック100の動作を制御するための電気的信号をドアロック100に伝送する場合は、多目的インターフェース装置信号処理部206は、この電気的信号を暗号化してドアロック100のコントローラー部104に伝送する役割をする。
【００２３】
図2は、ドアロック100が機能拡張装置200によりホームネットワークシステムと連結された本発明のドアロックシステムを示している。
【００２４】
これによると、本発明のドアロックシステムは、ホームネットワークシステムの一部を構成することとなる。言い換えると、ホームネットワークシステムは、ドアロック100、機能拡張装置200、ホームネットワークサーバー300、ホームネットワーク連動機器302、移動通信網304、移動通信端末機306、インターネット308、コンピューター310から構成される。
【００２５】
このようなホームネットワークシステムは、ホームネットワークサーバー300と相互連結されたホームネットワーク連動機器302を、家の内外で使用者が別途、移動通信端末機306、あるいはコンピューター310を含む端末機を使用して制御することができるようになっている。ホームネットワーク連動機器302はホームネットワークサーバー300と連動される機器であって、ガス感知センサー、窓センサー、家電機器、本発明のドアロックシステムを含む。
【００２６】
一般的なホームネットワークシステムは、ホーム無線周波数(radio frequency)、ブルーツース(Bluetooth)、802.11b規格に沿うWi-Fiのいずれか１つの標準技術を用いて構成される。
【００２７】
前述した標準技術を用いてホームネットワークシステムを構築する過程において、互換性(compatibility)問題が発生する可能性がある。例えば、Wi-Fiを支援するホームネットワークサーバー300に、ブルーツースを支援するホームネットワーク連動機器302を使用してホームネットワークシステムを構築する場合、ホームネットワークサーバー300とホームネットワーク連動機器302を支援する標準技術が相違するため、ホームネットワークサーバー300の制御によるホームネットワーク連動機器302が動作しないなどの互換性問題が発生する。しかし、本発明のドアロックシステムでは、ホームネットワークシステムで支援する標準技術を備えた機能拡張装置200をドアロック100に連結するだけで、互換性問題を解決することができる。
【００２８】
ドアロック100と連結された機能拡張装置200は、ドアロック100から電源の供給を受け、機能拡張装置200の多目的インターフェース装置信号処理部206を通してホームネットワークサーバー300とデータ通信を行う。即ち、機能拡張装置200が連結されたドアロック100は、多目的インターフェース装置信号処理部206を通してホームネットワークサーバー300にドアロック100で発生する状態情報を伝送する。例えば、ドア開閉時間、ドア出入者、火災警報発生などを含む状態情報がサブセットモジュール204で生成された後、ホームネットワークサーバー300に伝送される。
【００２９】
ホームネットワークサーバー300は、データベース(図示せず)、通信インターフェース(図示せず)を備え、ホームネットワーク連動機器302、移動通信網304、インターネット308と相互連結されている。ホームネットワークサーバー300は、機能拡張装置200から伝送されるドアロック100の状態情報をデータベースに貯蔵する。
【００３０】
ホームネットワークサーバー300の通信インターフェースは、移動通信網304、インターネット308と連結されている。使用者は外部で移動通信端末機306、コンピューター310を使用してホームネットワークサーバー300と接続することができ、ホームネットワークサーバー300に接続した以後は、データベースに貯蔵されているドアロック100の状態情報をダウンロードして確認することができる。なお、使用者は移動通信端末機306を用いて、ホームネットワークサーバー300と連結された各種ホームネットワーク連動機器302の動作を遠隔で制御することができる。
【００３１】
図3は、カメラ機能を備えた機能拡張装置400がドアロック420に連結された本発明のドアロックシステムを簡単に示した図面である。
【００３２】
このドアロックシステムにおいて、ドアロック420は、図１に示したドアロック100と類似してコントローラー部422、 多目的インターフェース装置制御部424、多目的インターフェース装置426などを含む。
【００３３】
なお、カメラ機能を備えた機能拡張装置400は、図1に示した機能拡張装置200と類似して多目的インターフェース装置連結部402、多目的インターフェース装置信号処理部406、サブセットモジュール404を含み、このサブセットモジュール404は、カメラモジュール410、入出力ポート412、メモリ414、カメラコントロールプロセッサー408から構成される。図１と同様の構成要素に対しては詳細な説明を省略する。
【００３４】
こうような構成によると、ドアロック420は、カメラ機能を備えた機能拡張装置400を通して、ドアロック420の開閉を試みる者を写真及び/又は動画で撮影して貯蔵することができる。
【００３５】
カメラコントロールプロセッサー(camera control processor)408は、一種の中央処理装置であって、多目的インターフェース装置信号処理部406で伝達する電気的信号を分析して、カメラモジュール410、入出力ポート412、メモリ414を制御する。
【００３６】
カメラモジュール410は、CCD(charge-coupled device)、又はCMOS(complementary metal oxide semiconductor)タイプの撮像素子から構成され、カメラコントロールプロセッサー408の制御を通じて被写体に対する停止映像及び/又は動画撮影を行う。
【００３７】
入出力ポート412は、例えばピンースロットタイプのコネクターで構成される。機能拡張装置400は、入出力ポート412を通して移動通信端末機(図示せず)、コンピューター(図示せず)、ホームネットワークサーバー(図示せず)と連結される。使用者はメモリ414に貯蔵された停止映像、動画を、移動通信端末機、コンピューターを使用してホームネットワークサーバーに接続した後、ダウンロードして確認することができる。
【００３８】
メモリ414は、読み書きが容易なEEPROM(electrically erasable programmable read-only memory)、あるいはフラッシュメモリタイプの貯蔵用素子であって、カメラモジュール410で生成された停止映像、動画を貯蔵する。
【００３９】
このような方式でドアロック420に、カメラ機能を備えた機能拡張装置400を連結すると、ドアロック420はドア開閉機能以外に、ドア開閉を試みる者に対する写真、動画の撮影が可能なドアロック420に機能が拡張される。
【００４０】
使用者がドアロック420の開閉を試みるためにドアロック420に電子キーを近接するか、暗証番号を入力すると、認証部(図示せず)で電子キー、あるいは暗証番号に対する認証手続を行う。認証手続を行う過程で認証部は、認証成功信号、又は認証失敗信号を生成してコントローラー部422に伝達する。
【００４１】
認証成功信号、又は認証失敗信号の伝送を受けたコントローラー部422は、駆動成功信号又は駆動失敗信号を含む電気的信号を生成して駆動部(図示せず)及び多目的インターフェース装置制御部424に伝送する。 多目的インターフェース装置制御部424は、電気的信号をエンコーダを使用して暗号化した後、ドアロック420の多目的インターフェース装置接続部426を通して機能拡張装置400の多目的インターフェース装置連結部402に伝達する。
【００４２】
多目的インターフェース装置連結部402を通してドアロック420から伝達された電気的信号は、機能拡張装置400の多目的インターフェース装置信号処理部406に伝達され、多目的インターフェース装置信号処理部406は、該当電気的信号を復号化する。復号化された電気的信号はカメラコントロールプロセッサー408に伝達され、カメラコントロールプロセッサー408は受信された信号によりカメラモジュール410を動作させることとなる。
【００４３】
カメラモジュール410は、カメラコントロールプロセッサー408の制御下で、被写体に対する写真撮影及び/又は動画撮影を行う。カメラモジュール410で撮影された写真及び/又は動画はカメラコントロールプロセッサー408に伝達され、カメラコントロールプロセッサー408はメモリ414に、撮影された写真及び/又は動画を貯蔵する。
【００４４】
使用者は、必要に応じて外部入出力ポート412に移動通信端末機、コンピューターを連結して、メモリ414に貯蔵された写真及び/又は動画をダウンロードして確認することができるようになる。
【００４５】
図4は、本発明によるドアロックシステムにおいて機能拡張装置をドアロックに連結する際の初期動作過程を示したフローチャートである。
【００４６】
まず、ドアロック100の多目的インターフェース装置110に機能拡張装置200を連結する(S500)。ドアロック100の多目的インターフェース装置制御部112は、多目的インターフェース装置110に連結された機能拡張装置200を識別して正当な装置であるかを判断し、多目的インターフェース装置制御部112に備えられた通信プロトコルと機能拡張装置200の通信プロトコルとが一致するかを検証する(S502)。
【００４７】
多目的インターフェース装置制御部112で機能拡張装置200が正当で、通信プロトコルが一致すると判断されると(S502)、コントローラー部104は、機能拡張装置200を通信プロトコルを用いて制御することとなる(S504)。機能拡張装置200の制御方式は、その種類によって異なる。
【産業上の利用可能性】
【００４８】
上述したような本発明の簡易改造型電子制御式ドアロックシステムによると、使用中であるドアロックを、必要に応じて低コストで簡便に改造して、防犯、指紋認証、火災感知、ホームネットワーク連動などの機能を追加することができ、これによりドアロックを交替することなく、その機能を変更または拡張することができる。
【図面の簡単な説明】
【００４９】
【図１】本発明による簡易改造型電子制御式ドアロックシステムを示すブロック図である。
【図２】ドアロックが機能拡張装置によりホームネットワークシステムと連結された本発明のドアロックシステムを示す図である。
【図３】カメラ機能を有する機能拡張装置を備えた本発明のドアロックシステムを示す図である。
【図４】本発明のドアロックシステムにおいて、ドアロックに新しい機能拡張装置を取り付ける際の初期動作過程を示すフロー図である。
【図１】
2007529658.tif 000003
【図２】
2007529658.tif 000004
【図３】
2007529658.tif 000005
【図４】
2007529658.tif 000006
【手続補正書】
【提出日】平成18年11月1日(2006.11.1)
【手続補正１】
【補正対象書類名】明細書
【補正対象項目名】００４１
【補正方法】変更
【補正の内容】
【００４１】
認証成功信号、又は認証失敗信号の伝送を受けたコントローラー部422は、駆動成功信号又は駆動失敗信号を含む電気的信号を生成して駆動部(図示せず)及び多目的インターフェース装置制御部424に伝送する。 多目的インターフェース装置制御部424は、電気的信号をエンコーダを使用して暗号化した後、ドアロック420の多目的インターフェース装置426を通して機能拡張装置400の多目的インターフェース装置連結部402に伝達する。
【手続補正２】
【補正対象書類名】図面
【補正対象項目名】図２
【補正方法】変更
【補正の内容】
【図２】
2007529658.tif 000007
【国際調査報告】
2007529658.tif 000008
2007529658.tif 000009